(57)【要約】  ＨＤＭＩ規格におけるＣＥＣ通信を無線を介して行うに際し、無線通信上の送信遅延やバッファリング遅延等の影響を受けてＣＥＣプロトコルが破綻することを防止する。第１無線通信機器（受信機３で例示）のＣＥＣ制御部は、ＡＶ機器（ＳＴＢ１で例示）のデバイス種に応じた論理アドレスを用いて、表示機器（モニター４で例示）に設けられたＣＥＣ制御部とのＣＥＣメッセージの送受を行う。また、第２無線通信機器（送信機２で例示）のＣＥＣ制御部は、モニター４のデバイス種に応じた論理アドレスを用いて、ＳＴＢ１に設けられたＣＥＣ制御部とのＣＥＣメッセージの送受を行う。
2010041567.tif 000002
【特許請求の範囲】
【請求項１】
表示機器との間でＨＤＭＩにおけるＣＥＣメッセージを送受可能なＣＥＣ制御部を有する第１無線通信機器と、ＡＶ機器との間でＨＤＭＩにおけるＣＥＣメッセージを送受可能なＣＥＣ制御部を有する第２無線通信機器と、を備え、前記第１無線通信機器と前記第２無線通信機器との間の無線通信により、前記表示機器と前記ＡＶ機器との間でＣＥＣメッセージの送受を行う無線伝送システムであって、
前記第１無線通信機器のＣＥＣ制御部は、前記ＡＶ機器のデバイス種に応じた論理アドレスを用いて、前記表示機器に設けられたＣＥＣ制御部とのＣＥＣメッセージの送受を行い、
前記第２無線通信機器のＣＥＣ制御部は、前記表示機器のデバイス種に応じた論理アドレスを用いて、前記ＡＶ機器に設けられたＣＥＣ制御部とのＣＥＣメッセージの送受を行うことを特徴とする無線伝送システム。
【請求項２】
前記第１無線通信機器は、前記表示機器から受信したＣＥＣメッセージの種類によって、前記ＡＶ機器への伝送が必要であるか否かを判定し、伝送の必要ありと判定されたＣＥＣメッセージのみを前記第２無線通信機器へ無線伝送し、
前記第２無線通信機器は、前記ＡＶ機器から受信したＣＥＣメッセージの種類によって、前記表示機器への伝送が必要であるか否かを判定し、伝送の必要ありと判定されたＣＥＣメッセージのみを前記第１無線通信機器へ無線伝送することを特徴とする請求項１に記載の無線伝送システム。
【請求項３】
前記第１無線通信機器は、前記表示機器から受信したＣＥＣメッセージが、前記表示機器への応答の制限時間が所定時間より短く要求されているものであるか否かを判定し、短く要求されているＣＥＣメッセージについては、前記表示機器に対し前記ＡＶ機器の代わりに応答し、
前記第２無線通信機器は、前記ＡＶ機器から受信したＣＥＣメッセージが、前記ＡＶ機器への応答の制限時間が前記所定時間より短く要求されているものであるか否かを判定し、短く要求されているＣＥＣメッセージについては、前記ＡＶ機器に対し前記表示機器の代わりに応答することを特徴とする請求項１又は２に記載の無線伝送システム。
【請求項４】
前記第１無線通信機器のＣＥＣ制御部は、前記第１無線通信機器が前記第２無線通信機器との無線通信ができない状況に陥った状態で、前記表示機器からＣＥＣメッセージを受信してもＡＣＫビットを前記表示機器に返信せず、
前記第２無線通信機器のＣＥＣ制御部は、前記第２無線通信機器が前記第１無線通信機器との無線通信ができない状況に陥った状態で、前記ＡＶ機器からＣＥＣメッセージを受信してもＡＣＫビットを返信しないことを特徴とする請求項１〜３のいずれか１項に記載の無線伝送システム。
【請求項５】
前記第１無線通信機器のＣＥＣ制御部は、前記表示機器に設けられたＣＥＣ制御部に外部接続されるか、或いは、前記表示機器に設けられたＣＥＣ制御部に接続されて前記表示機器に内蔵され、
前記第２無線通信機器のＣＥＣ制御部は、前記ＡＶ機器に設けられたＣＥＣ制御部に外部接続されるか、或いは、前記ＡＶ機器に設けられたＣＥＣ制御部に接続されて前記ＡＶ機器に内蔵されることを特徴とする請求項１〜４のいずれか１項に記載の無線伝送システム。
【請求項６】
表示機器との間でＨＤＭＩにおけるＣＥＣメッセージを送受可能なＣＥＣ制御部を有する第１無線通信機器と、ＡＶ機器との間でＨＤＭＩにおけるＣＥＣメッセージを送受可能なＣＥＣ制御部を有する第２無線通信機器とを用い、前記第１無線通信機器と該第２無線通信機器との間の無線通信により、前記表示機器と前記ＡＶ機器との間でＣＥＣメッセージの送受を行う無線伝送方法であって、
前記第１無線通信機器のＣＥＣ制御部が、前記ＡＶ機器のデバイス種に応じた論理アドレスを用いて、前記表示機器に設けられたＣＥＣ制御部とのＣＥＣメッセージの送受を行うステップと、
前記第２無線通信機器のＣＥＣ制御部が、前記表示機器のデバイス種に応じた論理アドレスを用いて、前記ＡＶ機器に設けられたＣＥＣ制御部とのＣＥＣメッセージの送受を行うステップとを含むことを特徴とする無線伝送方法。
【発明の詳細な説明】
【技術分野】
【０００１】
本発明は、無線伝送システム及び無線伝送方法に関し、より詳細には、ＨＤＭＩ（High-Definition Multimedia Interface）規格におけるＣＥＣ（Consumer Electronics Control）通信を無線で中継するための無線伝送システム及び無線伝送方法に関する。
【背景技術】
【０００２】
映像／音声等の伝送用デジタルインタフェースとしてＨＤＭＩ規格のものが普及している。ＨＤＭＩ規格は、コンピュータ本体とディスプレイとのデジタル接続規格であるＤＶＩ（Digital Visual Interface）規格に、音声伝送機能や著作権保護機能を加えて、ＡＶ（Audio Visual）機器向けにアレンジしたものとなっている。ＨＤＭＩ規格の場合、映像（ビデオ）データ・音声データはＴＭＤＳ（Transition Minimized Differential Signaling）と呼ばれる方式で伝送される。【０００３】
また、ＨＤＭＩ規格には、Ｖｅｒｓｉｏｎ１．２ａ以降、ＣＥＣの規定が追加されている（例えば、非特許文献１における「Supplement 1 consumer Electronics Control(CEC)」を参照）。このＣＥＣプロトコルは、ＨＤＭＩケーブルによって接続される機器間の制御を行う制御プロトコルである。ＣＥＣプロトコルによれば、ＨＤＭＩネットワーク上に存在する各機器に割り当てられている固有の物理アドレスと論理アドレスとに基づいて様々な制御を可能としている。例えば、ユーザがテレビ装置でデジタル放送を視聴しているときに、ＨＤＭＩ接続されたＤＶＤ（Digital Versatile Disc）プレーヤを再生すると、テレビ装置自体は自動的にそのＤＶＤプレーヤが接続されている端子を入力に切り換える。また、このＤＶＤプレーヤで表示しているメニュー操作や電源のＯＮ／ＯＦＦなどを、テレビ装置のリモコンから操作することが可能になっている。【０００４】
なお、ＣＥＣに関する用語は、非特許文献１において定義されており、ＨＤＭＩ入力端子を持つものはシンク（sink）機器と、ＨＤＭＩ出力端子を持ちＡＶストリームを出力するものはソース（Source）機器と定義されている。また、ＨＤＭＩ入力端子及び出力端子を持ちＡＶストリームの入出力を行い、シンク機器及びソース機器の双方として振る舞うものは、リピータ（Repeater）機器と定義されている。シンク機器の主なものとしては表示機器が挙げられ、ソース機器の例としてはＳＴＢ（Set Top Box）、ＤＶＤやＢＤ（Blu-ray Disc）等の各種プレーヤ、ＤＶＤやＢＤ等の各種レコーダなどが挙げられ、リピータの例としてはＡＶアンプなどが挙げられる。【０００５】
ところで、近年、表示機器とソース機器との間で映像・音声やＣＥＣメッセージを無線伝送する試みがある。しかし、ＣＥＣメッセージを無線伝送する際には、ＡＣＫビット（ＣＥＣで規定のＡＣＫ  ｂｉｔ）の送信を如何に実現するかが課題となっていた。【０００６】
これに対し、特許文献１では、無線伝送装置がＡＣＫビットを送信し、無線伝送を可能にした無線伝送方法が提案されている。この無線伝送方法では、第１の無線伝送装置が第２の無線伝送装置に対してＣＥＣメッセージを送信する際、第１の無線伝送装置は所定の間隔で有線インタフェースをサンプリングし、サンプリングしたデータを第２の無線伝送装置に無線送信し、有線インタフェースによりヘッダブロックもしくはデータブロックのＡＣＫビットの開始を検出したとき、有線インタフェースに‘０’出力を保持し、第２の無線伝送装置から受信成功を示す無線ＡＣＫパケットを受信したときに有線インタフェースに‘０’出力を規定時間保持している。
【先行技術文献】
【特許文献】
【０００７】
【特許文献１】特開２００７−２１４９５２号公報
【非特許文献】
【０００８】
【非特許文献１】High-Definition Multimedia Interface Specification Version 1.3a, November 10, 2006
【発明の概要】
【発明が解決しようとする課題】
【０００９】
しかしながら、特許文献１に記載の無線伝送方法では、ＡＣＫビットの送信を行うだけであるため、無線通信上の送信遅延、バッファリング遅延等の影響を受けて、ＣＥＣプロトコルが破綻する可能性が高い。また、十分な帯域のない無線通信路を使用する場合に伝送の無駄が発生することがある。【００１０】
より具体的にこれらの問題について説明する。まず、ＣＥＣは、ＨＤＭＩネットワークにおいて物理的にメタルラインが接続されていることを前提とした通信プロトコルである。このＣＥＣを用いた通信は、Ｈｉｇｈ（３．３Ｖ）にプルアップされた共通メタルラインをＬｏｗに落とし合うことでパルスを作成する通信であるため、無線伝送区間のようにメタルラインを共有していない区間があると、必ず遅延が発生し、正しいパルスが作成できない。従って、ＨＤＭＩの無線伝送技術においては、ＣＥＣの通信をプロトコル通りに実装することは不可能である。【００１１】
そして、特許文献１に記載の無線伝送方法を適用したとしても、全てのＣＥＣメッセージを機器全てでやりとりしなければならないこともあり、無線通信上の送信遅延（応答時の遅延を含む）により、規定された応答時間（response time）内の応答（response）が期待できず、ＣＥＣプロトコルが破綻する可能性が高い。特に、ＨＤ（High Definition）解像度の無圧縮映像を伝送するシステムでは、伝送帯域を映像・音声に最大限に割り当てる必要があるため、ＣＥＣ通信を含むその他の通信では十分な帯域を確保できず、規定された応答時間内の応答が期待できない。このように十分な帯域のない場合にはＣＥＣメッセージの無線伝送が無駄になってしまう。また、単純にバッファリングを用いると、ＣＥＣの通信は非常に低速な通信であるため、バッファリングの仕組み自体が大きな遅延となり、ＣＥＣのように応答時間を規定するプロトコルではその応答時間を満足するような応答ができない。【００１２】
さらに、特許文献１に記載の無線伝送システムを適用したとしても、無線伝送路が不安定になり、通信できない事態が発生した場合にシステムが破綻を起こす可能性がある。より具体的には、このような事態が発生した場合には、ＡＣＫビットをＣＥＣメッセージ送信側に返信すると、ＣＥＣメッセージ送信側はＣＥＣメッセージを送信できたと判定するのに対して、ＣＥＣメッセージ受信側ではＣＥＣメッセージを受け取っていないので矛盾が生じ、システムが破綻してしまう。【００１３】
本発明は、上述のような実情に鑑みてなされたものであり、その目的は、ＨＤＭＩ規格におけるＣＥＣ通信を無線を介して行うに際し、無線通信上の送信遅延やバッファリング遅延等の影響を受けてＣＥＣプロトコルが破綻することを防止することが可能な無線伝送システム及び無線伝送方法を提供することにある。
【課題を解決するための手段】
【００１４】
上記課題を解決するために、本発明の第１の技術手段は、表示機器との間でＨＤＭＩにおけるＣＥＣメッセージを送受可能なＣＥＣ制御部を有する第１無線通信機器と、ＡＶ機器との間でＨＤＭＩにおけるＣＥＣメッセージを送受可能なＣＥＣ制御部を有する第２無線通信機器と、を備え、前記第１無線通信機器と前記第２無線通信機器との間の無線通信により、前記表示機器と前記ＡＶ機器との間でＣＥＣメッセージの送受を行う無線伝送システムであって、前記第１無線通信機器のＣＥＣ制御部は、前記ＡＶ機器のデバイス種に応じた論理アドレスを用いて、前記表示機器に設けられたＣＥＣ制御部とのＣＥＣメッセージの送受を行い、前記第２無線通信機器のＣＥＣ制御部は、前記表示機器のデバイス種に応じた論理アドレスを用いて、前記ＡＶ機器に設けられたＣＥＣ制御部とのＣＥＣメッセージの送受を行うことを特徴としたものである。【００１５】
第２の技術手段は、第１の技術手段において、前記第１無線通信機器は、前記表示機器から受信したＣＥＣメッセージの種類によって、前記ＡＶ機器への伝送が必要であるか否かを判定し、伝送の必要ありと判定されたＣＥＣメッセージのみを前記第２無線通信機器へ無線伝送し、前記第２無線通信機器は、前記ＡＶ機器から受信したＣＥＣメッセージの種類によって、前記表示機器への伝送が必要であるか否かを判定し、伝送の必要ありと判定されたＣＥＣメッセージのみを前記第１無線通信機器へ無線伝送することを特徴としたものである。【００１６】
第３の技術手段は、第１又は第２の技術手段において、前記第１無線通信機器は、前記表示機器から受信したＣＥＣメッセージが、前記表示機器への応答の制限時間が所定時間より短く要求されているものであるか否かを判定し、短く要求されているＣＥＣメッセージについては、前記表示機器に対し前記ＡＶ機器の代わりに応答し、前記第２無線通信機器は、前記ＡＶ機器から受信したＣＥＣメッセージが、前記ＡＶ機器への応答の制限時間が前記所定時間より短く要求されているものであるか否かを判定し、短く要求されているＣＥＣメッセージについては、前記ＡＶ機器に対し前記表示機器の代わりに応答することを特徴としたものである。【００１７】
第４の技術手段は、第１〜第３のいずれかの技術手段において、前記第１無線通信機器のＣＥＣ制御部は、前記第１無線通信機器が前記第２無線通信機器との無線通信ができない状況に陥った状態で、前記表示機器からＣＥＣメッセージを受信してもＡＣＫビットを前記表示機器に返信せず、前記第２無線通信機器のＣＥＣ制御部は、前記第２無線通信機器が前記第１無線通信機器との無線通信ができない状況に陥った状態で、前記ＡＶ機器からＣＥＣメッセージを受信してもＡＣＫビットを返信しないことを特徴としたものである。【００１８】
第５の技術手段は、第１〜第４のいずれかの技術手段において、前記第１無線通信機器のＣＥＣ制御部は、前記表示機器に設けられたＣＥＣ制御部に外部接続されるか、或いは、前記表示機器に設けられたＣＥＣ制御部に接続されて前記表示機器に内蔵され、前記第２無線通信機器のＣＥＣ制御部は、前記ＡＶ機器に設けられたＣＥＣ制御部に外部接続されるか、或いは、前記ＡＶ機器に設けられたＣＥＣ制御部に接続されて前記ＡＶ機器に内蔵されることを特徴としたものである。【００１９】
第６の技術手段は、表示機器との間でＨＤＭＩにおけるＣＥＣメッセージを送受可能なＣＥＣ制御部を有する第１無線通信機器と、ＡＶ機器との間でＨＤＭＩにおけるＣＥＣメッセージを送受可能なＣＥＣ制御部を有する第２無線通信機器とを用い、前記第１無線通信機器と該第２無線通信機器との間の無線通信により、前記表示機器と前記ＡＶ機器との間でＣＥＣメッセージの送受を行う無線伝送方法であって、前記第１無線通信機器のＣＥＣ制御部が、前記ＡＶ機器のデバイス種に応じた論理アドレスを用いて、前記表示機器に設けられたＣＥＣ制御部とのＣＥＣメッセージの送受を行うステップと、前記第２無線通信機器のＣＥＣ制御部が、前記表示機器のデバイス種に応じた論理アドレスを用いて、前記ＡＶ機器に設けられたＣＥＣ制御部とのＣＥＣメッセージの送受を行うステップとを含むことを特徴としたものである。
【発明の効果】
【００２０】
本発明によれば、ＨＤＭＩ規格におけるＣＥＣ通信を無線を介して行うに際し、無線通信上の送信遅延やバッファリング遅延等の影響を受けてＣＥＣプロトコルが破綻することを防止することが可能になる。
【図面の簡単な説明】
【００２１】
【図１】本発明に係る無線伝送システムの一構成例を示すブロック図である。
【図２】図１の無線伝送システムにおける機器間でのＣＥＣメッセージの送受についてその概略を説明するための図である。
【図３】図１の無線伝送システムにおける、電源ＯＮ時からの偽装動作処理例を説明するためのフロー図である。
【図４】図１の無線伝送システムにおける、電源ＯＮ時の処理後にリモコン操作がなされたときの処理例を説明するためのフロー図である。
【図５】図１の無線伝送システムにおいて電源ＯＮ時の処理後に特定のＣＥＣメッセージを送受する際に、応答に遅延が生じる場合を説明するための図である。
【図６】図１の無線伝送システムにおける、電源ＯＮ時の処理後にＳＴＢからＣＥＣメッセージを送信したときの処理例を説明するためのフロー図である。
【図７】図１の無線伝送システムにおける、電源ＯＮ時の処理後にＳＴＢからＣＥＣメッセージを送信したときの処理例を説明するためのフロー図である。
【図８】図１の無線伝送システムにおける、電源ＯＮ時の処理後にＳＴＢからＣＥＣメッセージを送信したときの処理例を説明するためのフロー図である。
【図９】図１の無線伝送システムにおける、電源ＯＮ時の処理後にＳＴＢからＣＥＣメッセージを送信したときの処理例を説明するためのフロー図である。
【図１０】図１の無線伝送システムにおける、電源ＯＮ時の処理後にＳＴＢからＣＥＣメッセージを送信したときの処理例を説明するためのフロー図である。
【図１１】図１の無線伝送システムにおける、電源ＯＮ時の処理後にＳＴＢからＣＥＣメッセージを送信したときの処理例を説明するためのフロー図である。
【図１２】図１の無線伝送システムにおける機器間でのＣＥＣメッセージの送受について無線伝送路が通信不能になっている場合の概略を説明するための図である。
【発明を実施するための形態】
【００２２】
本発明に係る無線伝送システム（以下、本システムという）は、表示機器との間でＣＥＣメッセージを送受可能なＣＥＣ制御部を有する第１無線通信機器と、ＡＶ機器との間でＣＥＣメッセージを送受可能なＣＥＣ制御部を有する第２無線通信機器とを備える。
【００２３】
また、本システムは、第１無線通信機器と第２無線通信機器との間の無線通信により（つまり無線通信機器間での無線通信で中継することにより）、表示機器とＡＶ機器との間でＣＥＣメッセージの送受を行うシステムであり、ＡＣＫビットを含むＣＥＣメッセージの無線を介した伝送方法自体は、特許文献１に記載の方法を採用すればよい。
【００２４】
しかし、上述したように特許文献１に記載の方法は遅延により破綻してしまう可能性が高く、そのため本システムにおいては、その主たる特徴として、第１無線通信機器及び第２無線通信機器がそれぞれ他機（無線伝送路及び他方の無線通信機器を挟んだ対側にあるＣＥＣ対応機器）であると偽装する。この偽装により、無線伝送路で区分けされる２つのＣＥＣネットワークが構築でき、各ＣＥＣネットワークで破綻するような遅延が生じ難くなる。
【００２５】
以下、本発明について、表示機器としてモニターを採用したシステムを挙げて説明するが、チューナ付きのテレビ装置であってもよい。また、ＡＶ機器（表示機器以外のＡＶ機器）としてＳＴＢを採用したシステムを挙げて説明するが、ＳＴＢに限らず、ＢＤ、ＤＶＤ等の各種レコーダやプレーヤであっても、単なるチューナ機器であっても、またパーソナルコンピュータ（ＰＣ）やゲーム機器であってもよい。また、ＡＶ機器としては、ソース機器に限らず、リピータ機器（ＡＶアンプ、ＨＤＭＩ入力端子付きのＳＴＢやレコーダなど）であってもよい。但し、以下に構成例を示すように、これら表示機器やＡＶ機器はＣＥＣ対応機器であるものとする。
【００２６】
＜本発明に係る無線伝送システムの構成例＞
図１は、本発明に係る無線伝送システムの一構成例を示すブロック図で、図中、１はＡＶ機器の一例としてのＳＴＢ、２は第２無線通信機器の一例としての送信機、３は第１無線通信機器の一例としての受信機、４は表示機器の一例としてのモニターである。
【００２７】
（送信側の機器について）
ＳＴＢ１は、ＣＥＣ対応にするための有線接続部１１、制御部１２、及び記憶部１３を備え、その他、主制御部１４やチューナ部１５など、ＳＴＢとしての機能を実現するための構成要素を備えている。主制御部１４は、制御部１２を含めたＳＴＢ１の全体を制御する。チューナ部１５は、放送を受信するチューナ、それを復調する復調部、復調された映像・音声データをデコードするデコーダなどを有する。
【００２８】
有線接続部１１は、ＨＤＭＩケーブルを接続するためのＨＤＭＩ  Ｉ／Ｆである。つまり、有線接続部１１は、ＨＤＭＩケーブルに含まれる次の各ラインと接続している。ＨＤＭＩケーブルには、機器間で共通の制御信号（ＣＥＣメッセージ）を伝送する双方向バスであるＣＥＣラインを含む。ＣＥＣプロトコルでは、送信側はデバイス種により定められた論理アドレスを宛先（送信先）として指定することで所望の機器にＣＥＣメッセージを送信することができる。また、受信側は、このＣＥＣメッセージに自身の論理アドレスが宛先として記述されていた場合（Broadcast送信などとして含まれる場合もある）に受信を行い、このＣＥＣメッセージに記述された送信元の論理アドレスによって送信側を認識することが可能になっている。
【００２９】
また、ＨＤＭＩケーブルには、ＣＥＣラインの他に、デジタル信号である映像・音声信号のストリームを差動方式で伝送するためのＴＭＤＳラインや、ＥＤＩＤ（Extended Display Identification Data）の送信等に利用されるＤＤＣ（Display Data Channel）ラインなどが含まれる。このＥＤＩＤには、表示装置が処理可能な信号の種類についての情報や、表示パネルの解像度などの情報、ピクセルクロック、水平有効期間、垂直有効期間などの情報が含まれる。ＥＤＩＤを映像表示側（この例ではモニター４）から映像送信側（この例ではＳＴＢ１）が取得し、使用する表示パネル（この例ではモニター４の表示パネル）の解像度に合わせた映像信号を伝送する。
【００３０】
制御部１２は、有線接続部１１におけるＣＥＣラインに接続されている。そして、制御部１２は、ＣＥＣラインで伝送され有線接続部１１で受信したＣＥＣメッセージを解読して、そのＣＥＣメッセージに対して必要に応じてＡＣＫビットや応答（Response：状態等の返答）をＣＥＣラインでＣＥＣメッセージ送信元（この例では送信機２）に返す。また、制御部１２は、解読したＣＥＣメッセージを必要に応じて主制御部１４に渡し、主制御部１４がＳＴＢ１全体を制御してそのＣＥＣメッセージに応じた処理を実行させる。また、制御部１２は、例えば電源ＯＮ時やＳＴＢ１での操作を受け付けたときなど、主制御部１４からの指示を受け、その指示に合うＣＥＣメッセージを生成して、有線接続部１１経由でそのＣＥＣメッセージを送信する。
【００３１】
記憶部１３にはプログラムや情報が記憶されており、これらは必要に応じて制御部１２から読み出される。制御部１２及び記憶部１３はＣＥＣ制御部に該当し、例えばマイコンで構成しておけばよい。また、上記情報としては動作を規定するための応答テーブルが挙げられる。上記プログラムとしては、ＣＥＣドライバやＣＥＣマネージャが挙げられる。
【００３２】
ＣＥＣドライバは、ＣＥＣメッセージをＣＥＣラインで送受するためのプログラムであり、より具体的には有線接続部１１におけるＣＥＣラインの電圧を読み取ったり、ＣＥＣラインを短絡させるなどの制御を行う。なお、ＣＥＣドライバは、プログラムとして説明しているがハードウェアのみで構成されていてもよい。ＣＥＣマネージャは、ＣＥＣドライバが受け取ったＣＥＣメッセージを解釈して、応答テーブルを参照してＡＣＫビットや応答（response）をＣＥＣドライバに指示して返信させたり、ＣＥＣメッセージに合った指示を主制御部１４に伝達したりするプログラムである。また、ＣＥＣマネージャは、主制御部１４からの指示を受け、応答テーブルを参照してその指示に合うＣＥＣメッセージを生成して、有線接続部１１経由でそのＣＥＣメッセージをＣＥＣドライバに渡して送信させるプログラムも含まれている。
【００３３】
また、主制御部１４と有線接続部１１との間には図示しないＨＤＭＩトランスミッタが接続されている。このＨＤＭＩトランスミッタは、チューナ部１５で受信された映像・音声信号のパケットストリームを、ＴＭＤＳ方式により有線接続部１１から送信機２の有線接続部２１に送信する。このとき、ＨＤＭＩケーブルにおけるＴＭＤＳラインの各ＴＭＤＳチャンネルで、パケットストリームが送信される。なお、ＨＤＭＩトランスミッタが送信する映像信号は、上述したようにモニター４の表示パネルに合わせた解像度に変換されたものであり、ＳＴＢ１の構成によっては他の映像処理も施された後の映像信号であってもよい。また、ＨＤＭＩトランスミッタが送信する音声信号も、ＳＴＢ１の構成によっては音声処理が施された後の音声信号であってもよい。
【００３４】
送信機２は、ＣＥＣ対応にするための有線接続部２１、制御部２２、及び記憶部２３を備え、さらに無線通信を可能にするための無線接続部（無線通信部）２４を備えている。有線接続部２１は、ＨＤＭＩケーブルを接続するためのＨＤＭＩ  Ｉ／Ｆであり、このＨＤＭＩケーブルを経由してＳＴＢ１の有線接続部１１に接続可能となっている。有線接続部１１と有線接続部２１とのＨＤＭＩケーブルによる接続によって、ＳＴＢ１と送信機２とはＣＥＣメッセージを送受可能になる。
【００３５】
制御部２２は、ＨＤＭＩケーブルのＣＥＣラインに有線接続部２１を介して接続されており、また無線接続部２４にも接続されている。そして、制御部２２は、ＣＥＣラインで伝送され有線接続部２１で受信したＣＥＣメッセージを解読して、そのＣＥＣメッセージに対して必要に応じてＡＣＫビットや応答（response）をＣＥＣラインでＣＥＣメッセージ送信元（この例ではＳＴＢ１）に返すと共に、解読したＣＥＣメッセージを必要に応じて無線接続部２４経由で受信機３へ無線伝送する。また、制御部２２は、無線接続部２４で受信した無線伝送された情報（ＣＥＣメッセージを示す情報）を解読して、解読したＣＥＣメッセージを有線接続部２１におけるＣＥＣラインでＳＴＢ１に送信（転送）する。
【００３６】
このようなＣＥＣメッセージの送受のうちＳＴＢ１と送信機２との間の送受は、送信機２がモニター４であると偽装して実行される。本発明の主たる特徴である、この偽装のための構成を説明する。
【００３７】
記憶部２３にはプログラムや情報が記憶されており、これらは必要に応じて制御部２２から読み出される。また、制御部２２及び記憶部２３は、例えばマイコンで構成しておけばよい。記憶部２３に記憶された上記情報としては、動作を規定するための応答テーブル２３ｃが挙げられる。偽装のためにこの応答テーブル２３ｃを利用する。
【００３８】
送信機２の応答テーブル２３ｃには、予め偽装するＣＥＣ対応機器（ここではモニター４に対応する「ＴＶ」）として振る舞うための動作をプリセットしておく。この動作は、送信機２のＣＥＣ制御部が、無線伝送路及び受信機３を挟んだ対側のモニター４のデバイス種（ＴＶ）に応じた論理アドレス（０）を用いて、ＡＶ機器（この例ではＳＴＢ１）のＣＥＣ制御部とのＣＥＣメッセージの送受を行うように定めておく。ＳＴＢ１への応答（response）が必要な場合には、基本的にモニター４側（実際には受信機３側）からの応答のＣＥＣメッセージを示す情報を待って、ＳＴＢ１へ応答を返せばよい。ここで、送信機２のＣＥＣ制御部は、主に制御部２２、ＣＥＣドライバ２３ａ、及びＣＥＣマネージャ２３ｂに相当し、ＳＴＢ１のＣＥＣ制御部は、主に制御部１２及び記憶部１３に相当する。
【００３９】
送信機２で論理アドレス「０」を用いるだけで、ＳＴＢ１とのＣＥＣメッセージの送受についてはＣＥＣプロトコル（ベンダコマンドも含む）に定められた通り行うことができる。ここで、ベンダコマンドとはVendor Specific Commandsで規定されたコマンド群、例えば、ベンダ（メーカー）独自に動作を規定できる＜Vendor Command＞や＜Vendor Command With ID＞などを指す。独自に動作を規定する際には、これらのコマンド（メッセージ）中のVendor Specific Dataに記述するとよい。
【００４０】
なお、送信機２は、受信機３にＣＥＣメッセージを示す情報（つまりＣＥＣメッセージに対応する無線メッセージ）を送信するが、送信機２自身で使用している論理アドレス（０）を送信元として受信機３に送信する訳ではなく、あくまでＳＴＢ１から受信したＣＥＣメッセージ（ＳＴＢ１の論理アドレスが送信元として含まれるＣＥＣメッセージ）を示す情報を無線で転送する。
【００４１】
記憶部２３に記憶された上記プログラムとしては、ＣＥＣドライバ２３ａ、ＣＥＣマネージャ２３ｂ、及び無線通信ドライバ２３ｄなどが挙げられる。ＣＥＣドライバ２３ａは、ＳＴＢ１のＣＥＣドライバと同様であり、ＣＥＣメッセージをＣＥＣラインで送受するためのドライバである。ＣＥＣマネージャ２３ｂは、ＳＴＢ１からＣＥＣドライバ２３ａが受け取ったＣＥＣメッセージを解釈して、応答テーブル２３ｃを参照してＡＣＫビットや応答（response）をＣＥＣドライバ２３ａに指示して返信させたり、応答テーブル２３ｃを参照してＣＥＣメッセージを示す情報を無線通信ドライバ２３ｄに渡して無線接続部２４で無線伝送させたりする。無線通信ドライバ２３ｄは、ＣＥＣマネージャ２３ｂからの指示に基づき無線接続部２４にＣＥＣメッセージを示す情報を無線伝送させるドライバであり、プログラムとして説明しているがハードウェアのみで構成されていてもよい。
【００４２】
また、無線通信ドライバ２３ｄは、受信機３から無線接続部２４で受信したＣＥＣメッセージを示す情報をＣＥＣマネージャ２３ｂに渡す処理も行う。無線通信ドライバ２３ｄからＣＥＣメッセージを示す情報を受けたＣＥＣマネージャ２３ｂは、ＣＥＣメッセージを解釈（抽出）して、応答テーブル２３ｃを参照してそのＣＥＣメッセージをＣＥＣドライバ２３ａに指示してＳＴＢ１側へ送信させる。
【００４３】
また、無線接続部２４と有線接続部２１との間にはＨＤＭＩレシーバ（図示せず）が接続されている。このＨＤＭＩレシーバは、ＴＭＤＳラインでＳＴＢ１のＨＤＭＩトランスミッタから有線接続部１１を介して送信された映像・音声パケットを、有線接続部２１を経由して受信し、無線接続部２４に渡す。送信機２のＨＤＭＩレシーバで受信した映像・音声パケットは、無線接続部２４にて無線伝送することが可能に構成されている。なお、この映像・音声パケットの無線伝送は、ＴＭＤＳラインでの送信と同様に、ＴＭＤＳチャンネルを指定して行ってもよい。
【００４４】
（受信側の機器について）
モニター４は、ＣＥＣ対応にするための有線接続部４１、制御部４２、及び記憶部４３を備え、その他、主制御部４４、ビデオプロセッサ等の映像処理部４５、ＬＣＤ等の表示パネルを有する表示部４６、及び受光部４７など、モニターとしての機能を実現するための構成要素を備えている。主制御部４４は、制御部４２を含めたモニター４の全体を制御する。受光部４７は、リモコン５からの操作信号を受光し、主制御部４４に渡す。
【００４５】
有線接続部４１は、ＨＤＭＩケーブルを接続するためのＨＤＭＩ  Ｉ／Ｆである。制御部４２は、有線接続部１１におけるＣＥＣラインに接続されている。制御部４２は、ＥＤＩＤを受信機３に送信し、送信機２を経てＳＴＢ１にＥＤＩＤが送信され、ＳＴＢ１が表示部４６の表示解像度に合った映像信号を送信することを可能にする。また、制御部４２は、ＣＥＣラインで伝送され有線接続部４１で受信したＣＥＣメッセージを解読して、そのＣＥＣメッセージに対して必要に応じてＡＣＫビットや応答（Response）をＣＥＣラインでＣＥＣメッセージ送信元（この例では受信機３）に返す。また、制御部４２は、解読したＣＥＣメッセージを必要に応じて主制御部４４に渡し、主制御部４４がモニター４全体を制御してそのＣＥＣメッセージに応じた処理を実行させる。また、制御部４２は、例えば電源ＯＮ時や受光部４７でユーザ操作の操作信号を受け付けたときなど、主制御部４４からの指示を受け、その指示に合うＣＥＣメッセージを生成して、有線接続部４１経由でそのＣＥＣメッセージを送信する。
【００４６】
記憶部４３にはプログラムや情報が記憶されており、これらは必要に応じて制御部４２から読み出される。制御部４２及び記憶部４３はＣＥＣ制御部に該当し、例えばマイコンで構成しておけばよい。また、上記情報としては動作を規定するための応答テーブルが挙げられる。上記プログラムとしては、ＣＥＣドライバやＣＥＣマネージャが挙げられる。
【００４７】
ＣＥＣドライバは、ＣＥＣメッセージをＣＥＣラインで送受するためのプログラムであり、より具体的には有線接続部４１におけるＣＥＣラインの電圧を読み取ったり印加電圧の制御を行う。なお、ＣＥＣドライバは、プログラムとして説明しているがハードウェアのみで構成されていてもよい。ＣＥＣマネージャは、ＣＥＣドライバが受け取ったＣＥＣメッセージを解釈して、応答テーブルを参照してＡＣＫビットや応答（response）をＣＥＣドライバに指示して返信させたり、ＣＥＣメッセージに合った指示を主制御部４４に伝達したりするプログラムである。また、ＣＥＣマネージャは、主制御部４４からの指示を受け、応答テーブルを参照してその指示に合うＣＥＣメッセージを生成して、有線接続部４１経由でそのＣＥＣメッセージをＣＥＣドライバに渡して送信させるプログラムも含まれている。
【００４８】
また、映像処理部４５と有線接続部４１との間には図示しないＨＤＭＩレシーバが接続されている。このＨＤＭＩレシーバは、有線接続部４１を介して受信機３から映像・音声信号のストリーム（元はＳＴＢ１のチューナ部１５で取得された信号である）を受信して映像／音声の分離を行って、その映像信号（表示部４６の解像度に合った映像信号）を、映像処理部４５へ出力する。映像処理部４５は、主制御部４４の指示に基づき、映像信号に対して各種映像処理を施して表示部４６に出力し、表示部４６が映像を表示する。また、このＨＤＭＩレシーバは、分離した音声信号を音声処理部（図示せず）へ出力し、音声処理部は、主制御部４４の指示に基づき、各種音声処理を施してスピーカ（図示せず）へ出力し、スピーカが音声を出力する。
【００４９】
受信機３は、ＣＥＣ対応にするための有線接続部３１、制御部３２、及び記憶部３３を備え、さらに無線通信を可能にするための無線接続部（無線通信部）３４を備えている。有線接続部３１は、ＨＤＭＩケーブルを接続するためのＨＤＭＩ  Ｉ／Ｆであり、このＨＤＭＩケーブルを経由してモニター４の有線接続部４１に接続可能となっている。有線接続部３１と有線接続部４１とのＨＤＭＩケーブルによる接続によって、受信機３とモニター４とはＣＥＣメッセージを送受可能になる。
【００５０】
制御部３２は、ＨＤＭＩケーブルのＣＥＣラインに有線接続部３１を介して接続されており、また無線接続部３４にも接続されている。そして、制御部３２は、ＣＥＣラインで伝送され有線接続部３１で受信したＣＥＣメッセージを解読して、そのＣＥＣメッセージに対して必要に応じてＡＣＫビットや応答（response）をＣＥＣラインでＣＥＣメッセージ送信元（この例ではモニター４）に返すと共に、解読したＣＥＣメッセージを必要に応じて無線接続部３４経由で送信機２へ無線伝送する。また、制御部３２は、無線接続部３４で受信した無線伝送された情報（ＣＥＣメッセージを示す情報）を解読して、解読したＣＥＣメッセージを有線接続部３１におけるＣＥＣラインでモニター４に送信する。
【００５１】
このようなＣＥＣメッセージの送受のうちモニター４と受信機３との間の送受は、受信機３がＳＴＢ１であると偽装して実行される。本発明の主たる特徴である、この偽装のための構成を説明する。
【００５２】
記憶部３３にはプログラムや情報が記憶されており、これらは必要に応じて制御部３２から読み出される。また、制御部３２及び記憶部３３は、例えばマイコンで構成しておけばよい。記憶部３３に記憶された上記情報としては、動作を規定するための応答テーブル３３ｃが挙げられる。偽装のためには、送信側（送信機２の応答テーブル２３ｃ）での偽装だけでなく、受信側でこの応答テーブル３３ｃを利用した偽装も行う。
【００５３】
受信機３の応答テーブル３３ｃには、予め偽装するＣＥＣ対応機器（ここではＳＴＢ１に対応する「Ｔｕｎｅｒ」）として振る舞うための動作をプリセットしておく。この動作は、受信機３のＣＥＣ制御部が、無線伝送路及び送信機２を挟んだ対側のＳＴＢ１のデバイス種（Ｔｕｎｅｒ）に応じた論理アドレス（３，６，７，１０のいずれか）を用いて、表示機器（この例ではモニター４）のＣＥＣ制御部とのＣＥＣメッセージの送受を行うように定めておく。モニター４への応答（response）が必要な場合には、基本的にＳＴＢ１側（実際には送信機２側）からの応答のＣＥＣメッセージを示す情報を待って、モニター４へ応答を返せばよい。ここで、受信機３のＣＥＣ制御部は、主に制御部３２、ＣＥＣドライバ３３ａ、ＣＥＣマネージャ３３ｂ、及び応答テーブル３３ｃに相当し、モニター４のＣＥＣ制御部は、主に制御部４２及び記憶部４３に相当する。
【００５４】
受信機３が論理アドレス「３，６，７，１０のいずれか」を用いるだけで、モニター４とのＣＥＣメッセージの送受についてはＣＥＣプロトコル（ベンダコマンドも含む）に定められた通り行うことができる。なお、受信機３は、送信機２にＣＥＣメッセージを示す情報（つまりＣＥＣメッセージに対応する無線メッセージ）を送信するが、受信機３自身で使用している論理アドレス（３，６，７，１０のいずれか）を送信元として送信機２に送信する訳ではなく、あくまでモニター４から受信したＣＥＣメッセージ（モニター４の論理アドレス「０」が送信元として含まれるＣＥＣメッセージ）を示す情報を無線で転送する。
【００５５】
記憶部３３に記憶された上記プログラムとしては、ＣＥＣドライバ２３ａと同様のＣＥＣドライバ３３ａ、ＣＥＣマネージャ３３ｂ、及び無線通信ドライバ３３ｄなどが挙げられる。ＣＥＣマネージャ３３ｂは、モニター４からＣＥＣドライバ３３ａが受け取ったＣＥＣメッセージを解釈して、応答テーブル３３ｃを参照して、ＡＣＫビットや応答（response）をＣＥＣドライバ３３ａに指示して返信させたり、応答テーブル３３ｃを参照してＣＥＣメッセージを示す情報を無線通信ドライバ３３ｄに渡して無線接続部３４で無線伝送させたりする。無線通信ドライバ３３ｄは、ＣＥＣマネージャ３３ｂからの指示に基づき無線接続部３４にＣＥＣメッセージを示す情報を無線伝送させるドライバであり、プログラムとして説明しているがハードウェアのみで構成されていてもよい。
【００５６】
また、無線通信ドライバ３３ｄは、送信機２から無線接続部３４で受信したＣＥＣメッセージを示す情報をＣＥＣマネージャ３３ｂに渡す処理も行う。無線通信ドライバ３３ｄからＣＥＣメッセージを示す情報を受けたＣＥＣマネージャ３３ｂは、ＣＥＣメッセージを解釈（抽出）して、応答テーブル３３ｃを参照してそのＣＥＣメッセージをＣＥＣドライバ３３ａに指示してモニター４側へ送信させる。
【００５７】
また、送信機２とは異なり受信機３の場合には、図１で例示するようにＳＴＢ１を無線でＣＥＣ接続させたいのか、レコーダやプレーヤを無線でＣＥＣ接続させたいのかによって、プリセットすべき動作が異なる。従って、表示機器以外のＡＶ機器のデバイスの全て又は複数のそれぞれに対応する動作を応答テーブル３３ｃに格納しておき、例えば受信機３に設けた切り換えボタンなどでユーザがデバイス（通信しようとするデバイス）を選択可能に構成しておいてもよい。そして、応答テーブル３３ｃにおいて、ユーザ選択されたデバイスに対応する動作のみを有効にセットすればよい。
【００５８】
なお、ＣＥＣプロトコルでは、Ｔｕｎｅｒに応じた論理アドレスとして３，６，７，１０が用意されており、受信機３は、上述したようにこのうちいずれかをセットすればよい。もし、送信側の有線ＣＥＣネットワークのＳＴＢ１の下層にＳＴＢ１以外にチューナ機器がある場合には、ＳＴＢ１の論理アドレスが「６」となる場合がある。受信側で、ＳＴＢ１以外のチューナ機器がＴｕｎｅｒ１（論理アドレス３）を先に宣言していることをＣＥＣメッセージ（ベンダコマンド）により検出して、Ｔｕｎｅｒ２（論理アドレス６での動作）にセットし直すように規定していてもよいが、あくまで、受信側の有線ＣＥＣネットワーク内でＴｕｎｅｒ１が存在しない限り、受信機３に論理アドレス３（ＳＴＢ１の論理アドレスとは異なる値）での動作をプリセットしても、送信機２で論理アドレス３に対するＣＥＣメッセージを示す無線メッセージを解釈してＣＥＣラインで送信する際に、（ＳＴＢ１が「６」であることが分かっているため）論理アドレスを３から６に書き換えて送信すれば、全く支障はない。
【００５９】
また、無線接続部３４と有線接続部３１との間にはＨＤＭＩトランスミッタ（図示せず）が接続されている。このＨＤＭＩトランスミッタは、無線接続部３４で受信した映像・音声パケットをＴＤＭＳ方式に変換して、ＴＭＤＳチャンネル毎に有線接続部３１及びＴＤＭＳラインを経由してモニター４（のＨＤＭＩレシーバ）に送信する。
【００６０】
（上記構成例のまとめ）
上述のとおり、図１の無線伝送システムでは、ＳＴＢ１とモニター４の間を無線伝送する場合において、送信機（Ｔｘ）２はモニター４として通信を行い、受信機（Ｒｘ）３はＳＴＢ１として通信を行う仕組みを導入している。
【００６１】
より具体的には、応答テーブル２３ｃ（／応答テーブル３３ｃ）に偽装する機器についてその偽装機器として振る舞うための動作をプリセットしておき、送信機２（／受信機３）で対側にあるモニター４（／ＳＴＢ１）の論理アドレスを取得しＳＴＢ１（／モニター４）からＣＥＣメッセージを受信して、モニター４（／ＳＴＢ１）側に対して受信したＣＥＣメッセージを送信し、またモニター４（／ＳＴＢ１）側から受信したＣＥＣメッセージをＳＴＢ１（／モニター４）へ送信することも可能になっている。ここで、ＣＥＣマネージャ２３ｂ（／３３ｂ）は、ＣＥＣドライバ２３ａ（／３３ａ）と無線通信ドライバ２３ｄ（／３３ｄ）の各々が受信したデータを受け取り、応答テーブル２３ｃ（／３３ｃ）（及び後述の例のように通信メモリ２３ｅ／３３ｅ内に記憶された通信履歴情報）から、応答すべきＣＥＣメッセージ対側（ＣＥＣメッセージ送信先）へ「無線メッセージとして送信すべきＣＥＣメッセージ」を判断して無線通信ドライバ２３ｄに渡す制御と、同じく応答テーブル２３ｃ（／３３ｃ）（及び通信履歴情報）から、ＣＥＣメッセージ送信元へＡＣＫビットや応答（response）のＣＥＣメッセージを判断してＣＥＣドライバ２３ａに渡す制御とを行っている。
【００６２】
図２を参照して説明する。図２は、図１の無線伝送システムにおける機器間でのＣＥＣメッセージの送受についてその概略を説明するための図である。ＳＴＢ１からは送信機２は論理アドレス０をもつモニター４のように見え、モニター４からは受信機３は論理アドレス３，６，７，１０のいずれか（この例では「３」）をもつＳＴＢ１のように見え、また送信機２と受信機３との間はそれぞれＳＴＢ１とモニター４とから受け取ったＣＥＣメッセージ（ＣＥＣコマンド）を相互にやり取りできる。すなわち、送信機２は、ＳＴＢ１からのＴＶの論理アドレスに対するＣＥＣメッセージに対してＡＣＫビットを返し、受信機３へ伝送し、受信機３は、ＴｕｎｅｒとしてそのＣＥＣメッセージをモニター４へ伝送する。逆に受信機３は、ＴＶからのＳＴＢの論理アドレスに対するメッセージに対してＡＣＫビットを返し、送信機２へ伝送し、送信機２は、ＴＶとしてそのメッセージをＳＴＢ１へ伝送する。
【００６３】
このような構成により、モニター４、ＳＴＢ１共にプロトコル等を変更することなく、従来、遅延のために不可能とも言えた無線伝送路を介したＣＥＣ通信が可能となる。特に、偽装（模倣）を行っているため、送信機２や受信機３は偽装機器に対するＣＥＣメッセージを無視できるため全てのＣＥＣメッセージを他方に無線伝送する必要も無くなり、複数の機器からの送信が輻輳してしまうこともあるため、その分だけでも多くの遅延が解消される。さらに、偽装を行っているため、後述する「ＣＥＣメッセージの種類に応じた処理」や「ＣＥＣメッセージの応答制限時間に応じて、送信機２や受信機３が代わりに応答（response）を返す処理」を実現することも可能になる。
【００６４】
＜上記構成例におけるＣＥＣメッセージの送受の例＞
図３は、図１の無線伝送システムにおける、電源ＯＮ時からの偽装動作処理例を説明するためのフロー図である。図３及び後述する図４〜図１１において、各機器の間で送信を表す矢印を示しているが、実線の矢印はＡＣＫビットを返していることを示し、破線の矢印はＡＣＫビットを返していないことを示している。例えば、図３のステップＳ４はＡＣＫビットの返信がなく、ステップＳ１３はＳＴＢ１から送信機２にＡＣＫビットを返信していることを示している。但し、送信機２と受信機３との間の通信については無線独自のプロトコルによる通信でありＣＥＣとは異なるためＡＣＫビットの送信は行われないが、何らかの方法によって確実な通信が行われているものとする。なお、送信以外の矢印、例えばステップＳ１，Ｓ２，Ｓ１５や図４のステップＳ２４などについては、この図示のルールは関係ない。
【００６５】
まず、送信機２には、モニター４として動作するような応答テーブル２３ｃがプリセットされており（ステップＳ１）、受信機３には、ＳＴＢ１として動作するような応答テーブル３３ｃがプリセットされている（ステップＳ２）。
【００６６】
このような状態で、且つ、ＳＴＢ１と送信機２とがＨＤＭＩケーブルによりＣＥＣ接続され、受信機３とモニター４とがＨＤＭＩケーブルによりＣＥＣ接続された状態で、各機器の電源がＯＮ（Power On）されたとき（ステップＳ３）、ＳＴＢ１は、ＳＴＢ（論理アドレス３とする）を名乗るために他にＳＴＢ（Ｔｕｎｅｒに該当する機器）が存在しないかを確認する（ステップＳ４）。また、受信機３は、ＳＴＢ（論理アドレス３とする）を名乗るために他にＳＴＢ（Ｔｕｎｅｒに該当する機器）が存在しないかを確認する（ステップＳ６）。つまり、ステップＳ４，Ｓ６では、ＳＴＢを宛先としたＣＥＣ通信にＡＣＫビットが返らないことを確認する。この通信は、例えば、＜Poling Message＞で行えばよい。
【００６７】
同様に、送信機２は、ＴＶ（論理アドレス０）を名乗るために他にＴＶが存在しないかを確認し（ステップＳ５）、モニター４は、ＴＶ（論理アドレス０）を名乗るために他にＴＶが存在しないかを確認する（ステップＳ７）。つまり、ステップＳ５，Ｓ７では、ＴＶを宛先としたＣＥＣ通信にＡＣＫビットが返らないことを確認する。なお、ステップＳ３の電源ＯＮの順序や電源ＯＮとＨＤＭＩケーブルの接続との前後は問わず、電源がＯＮされＨＤＭＩケーブルが接続された機器から、確認処理（ステップＳ４〜Ｓ７のいずれか）を行えばよい。なお、ステップＳ４〜Ｓ７の処理により、図１の構成例では各機器１〜４のそれぞれで論理アドレスが決定できるが、他の機器の接続によってＡＣＫビットが返ってきた場合には同デバイス種用の他の論理アドレスへの設定を同様に試みればよい。
【００６８】
また、図３では図示していないが、ステップＳ４〜Ｓ７の後、各機器に記憶されているVendor ID（ＩＥＥＥ機関で定められた固有のVendor ID）をbroadcast送信するメッセージである＜Device Vendor ID＞を送信するようにしておく。少なくともモニター４は次に説明するベンダコマンドの送信の前にこの送信を済ませておく。また、各機器１〜３のうち、モニター４がVendor IDを受け取っていない機器については、次に説明するベンダコマンドの送信前に、＜Give Device Vendor ID＞によりVendor IDを通知させてもよい。次に説明するベンダコマンドは、基本的にVendor IDが同じ場合（又は同じと見なせるような処理を行った場合）に受け取ることができる。
【００６９】
このようにして、論理アドレスが各機器１〜４で決まった段階で、送信機２、受信機３は本発明に係る偽装動作を開始する。すなわち、論理アドレスが決定した段階で、送信機２は自身が接続されているＣＥＣライン上ではモニター４として動作し、受信機３は自身が接続されているＣＥＣライン上ではＳＴＢ１として動作し始める。相互に連携する機器であれば何らかの存在確認の仕組みが導入される必要があるため、モニター４とＳＴＢ１は、無線区間の有無にかかわらず、図３で図示した例では、ベンダコマンドとして定めたVendor(Ping)を、そのVendor(Ping)に対する応答（response）としてVendor(Ack)が返信されてくるまで所定間隔で送信してサーチを行い、相互の存在確認を行うものとする。このステップはより複雑に、相互の通信が複数ステップに分けられていてもよい。無線区間がある場合でも、まず、モニター４はベンダコマンドとして定めたVendor(Ping)を、そのVendor(Ping)に対する応答（response）としてVendor(Ack)が返信されてくるまで所定間隔で送信してサーチを行う。（ステップＳ１１）。このサーチ処理は、モニター４における記憶部４３の応答テーブルに動作開始の処理として記述しておけばよい。
【００７０】
ステップＳ１１では、まずVendor(Ping)をＣＥＣラインで送信する（ステップＳ１１ａ）。ステップＳ１１ａでVendor(Ping)を受け取った受信機３は、応答テーブル３３ｃを参照して、ＳＴＢ１としてＡＣＫビットを返すと共にVendor(Ping)を示す情報（つまりVendor(Ping)を示す無線メッセージ）を無線送信する（ステップＳ１２）。ステップＳ１２では、このVendor(Ping)を送信してきた論理アドレス（Vendor(Ping)に含まれる送信元の論理アドレスであり、この例ではモニター４の「０」）を通信メモリ３３ｅに保存する処理も行う。ここで保存された論理アドレスの機器が、ＳＴＢ１として偽装（模倣）する上での相手先の機器である、つまり対動作の相手であると判断する。ここで、受信機３の応答テーブル３３ｃには、このような動作、つまり、Vendor(Ping)に対してＡＣＫビットを返し論理アドレスを保存すること、及びVendor(Ping)を示す情報を無線伝送することが規定してあるものとする。
【００７１】
この無線メッセージを受信した送信機２は、この無線メッセージからVendor(Ping)を抽出し、ＣＥＣラインで伝送する（ステップＳ１３）。ここで、このような動作が送信機２の応答テーブル２３ｃで規定されているものとする。このVendor(Ping)を受信したＳＴＢ１は、記憶部１３の応答テーブルを参照して、ＡＣＫビットを返すと共にVendor(Ping)に対する応答（response）としてVendor(Ack)をＣＥＣラインで伝送する（ステップＳ１４）。ここで、ＳＴＢ１の記憶部１３の応答テーブルには、このような動作、つまりVendor(Ping)に対してＡＣＫビットを返すこと、及びVendor(Ping)に対する応答（response）としてVendor(Ack)を返す（Vendor(Ping)での送信元を宛先にして返す）ことが規定してあるものとする。
【００７２】
このVendor(Ack)を受信した送信機２は、応答テーブル２３ｃを参照して、ＡＣＫビットを返すと共に、Vendor(Ack)を返してきた論理アドレス（Vendor(Ack)に含まれる送信元の論理アドレスであり、この例ではＳＴＢ１の「３」）を通信メモリ２３ｅに保存する（ステップＳ１５）。ここで保存された論理アドレスの機器が、モニター４として偽装（模倣）する上での相手先の機器である、つまり対動作の相手であると判断する。また、送信機２は、そのVendor(Ack)を示す情報（つまりVendor(Ack)を示す無線メッセージ）を無線送信する（ステップＳ１６）。ここで、送信機２の応答テーブル２３ｃには、このような動作、つまり、Vendor(Ack)に対してＡＣＫビットを返すと共にその送信元の論理アドレスを通信メモリ２３ｅに記憶し、その論理アドレスへの対動作を受付開始し、そのVendor(Ack)を示す無線メッセージを無線伝送することが規定してあるものとする。
【００７３】
この無線メッセージを受信した受信機３は、この無線メッセージからVendor(Ack)を抽出し、ＣＥＣラインで伝送する（ステップＳ１７）。ここで、このような動作が受信機３の応答テーブル３３ｃで規定されているものとする。
【００７４】
このVendor(Ack)を受信したモニター４は、記憶部４３の応答テーブルを参照して、ＡＣＫビットを返すと共にVendor(Ack)を返してきた論理アドレス（Vendor(Ack)に含まれる送信元の論理アドレスであり、この例ではＳＴＢ１の「３」）を記憶部４３の通信メモリに保存し、この時点からＳＴＢ１への対動作を受付開始する（ステップＳ１８）。つまり、ここで保存された論理アドレスの機器が対動作の相手であると判断する。ここで、モニター４の記憶部４３の応答テーブルには、このような動作、つまり、Vendor(Ack)に対してＡＣＫビットを返すと共にその送信元の論理アドレスを通信メモリに記憶し、その論理アドレスへの対動作を受付開始することが規定してあるものとする。
【００７５】
以上、説明したように、Vendor(Ping)のように連係動作する機器間の認証通信を利用することにより、本発明の偽装対象にしている機器をサーチすることができる。また、このような仕組みが存在しない機器間であれば、連係動作する機器の論理アドレスを固定した動作をプリセットすることで実現できる。なお、Vendor(Ping)を送出する前にVendor IDを事前に通知する必要があると説明したが、Vendor(Ping)を＜Vendor Command＞ではなく＜Vendor Command With ID＞を用いて送出する場合には、Vendor IDを事前に通知する必要はない。この場合、Vendor(Ping)を送出してVendor(Ack)を確認した後に＜Device Vendor ID＞を送信してから、＜Vendor Command＞による通信を行うとよい。
【００７６】
図４は、図１の無線伝送システムにおける、電源ＯＮ時の処理後にリモコン操作がなされたときの処理例を説明するためのフロー図である。リモコン５から受光部４７がVendor Remote Downに対応する操作信号を受信したときの動作を説明する。なお、このような動作は図３で説明したのと同様に各機器の応答テーブルに記憶させておけばよい。
【００７７】
まず、モニター４は、その操作信号を解釈して、応答テーブルを参照し、Vendor Remote DownというＣＥＣコマンドをＣＥＣラインで送信する（ステップＳ２１）。受信機３は、このVendor Remote Downを受けて、応答テーブル３３ｃを参照して、ＡＣＫビットをＳＴＢ１として返すと共に、Vendor Remote Downを示す情報（無線メッセージ）を無線伝送する（ステップＳ２２）。この無線メッセージを受けた送信機２は、Vendor Remote Downを抽出して応答テーブル２３ｃを参照し、モニター４として（モニター４の論理アドレスを送信元とし）、通信メモリ２３ｅに記憶しておいた論理アドレス（ステップＳ１５で記憶した論理アドレス）を宛先として、ＣＥＣラインで送信する（ステップＳ２３）。このVendor Remote Downを受信したＳＴＢ１は、応答テーブルを参照して、ＡＣＫビットを返すと共に、Vendor Remote Downに応じた処理（例えばチャンネル変更などの処理）を実行する（ステップＳ２４）。このようにして、モニター４のリモコン５からＳＴＢ１が操作できる。
【００７８】
図５は、図１の無線伝送システムにおいて電源ＯＮ時の処理後に特定のＣＥＣメッセージを送受する際に、応答に遅延が生じる場合を説明するための図である。図１〜図４を参照して説明したような送信機２及び受信機３による偽装は、遅延防止に非常に有効であるが、この偽装だけでは、偽装機器に対して送信されたＣＥＣメッセージ全て（ＣＥＣライン上の全てのＣＥＣメッセージではない）の伝送を行う必要がある。なお、図１等の説明において、「必要に応じて」送信すると説明した部分は「ＣＥＣプロトコルに則った上で必要に応じて」送信することを意味する。
【００７９】
このように、偽装機器に対してのＣＥＣメッセージを全て伝送すると、リンク上の帯域を消費すると共に、一定時間以内の応答（response）が要求されるコマンドの中で対応できないコマンド（例えばコマンド＜Routing Change＞に対する応答＜Set Stream Path＞）も生じてくる。送信開始から受信完了までに１００ｍｓ必要なコマンドを使用し、３００ｍｓ以内の応答を要求されるコマンド系列を例に挙げて説明する。図５で例示するように、まず送信機２がバッファリングしつつ受信、完了後受信機３へ伝送し、受信機３がモニター４への送信を完了できるまで、送信機２が受信完了してから１００ｍｓ余分にかかる（厳密には無線伝送区間での通信遅延も発生するが簡単化のため無視する）。そして、モニター４からの応答が規格範囲内である２００ｍｓで行われたとする、受信機３でその応答を同様に受信完了、送信機２へ伝送、送信機２が送信完了するまで、受信機３が受信完了してから１００ｍｓ余分にかかる、よって、受信機３が接続されているＣＥＣライン上では規格範囲内である２００ｍｓでの応答があったことになるが、送信機２が接続されているＣＥＣライン上では、規格オーバーとなる４００ｍｓ以上かかってしまう。
【００８０】
この対策として、偽装機器に対するＣＥＣメッセージのうち一部のＣＥＣメッセージについては無線伝送を省略することが望ましい。このような処理を説明する。図５で説明したような遅延が発生する場合（帯域不足などにより発生する場合も含む）には、次のような処理を行えばよい。
【００８１】
つまり、受信機３のＣＥＣ制御部は、モニター４から受信したＣＥＣメッセージ（ベンダコマンドである場合も含む）の種類によって、ＳＴＢ１（送信機２）への伝送が必要であるか否かを判定し、伝送の必要ありと判定されたＣＥＣメッセージのみを送信機２へ無線接続部３４を介して無線伝送する。送信機２のＣＥＣ制御部も、ＳＴＢ１から受信したＣＥＣメッセージの種類によって、モニター４（受信機３）への伝送が必要であるか否かを判定し、伝送の必要ありと判定されたＣＥＣメッセージのみを受信機３へ無線接続部２４を介して無線伝送する。このような動作も応答テーブル２３ｃ，３３ｃに記述しておき、ＣＥＣマネージャ２３ｂ，３３ｂで実行させればよい。
【００８２】
より具体的には、ＣＥＣの応答（response）は模倣する機器を特定すれば固定値や事前の通信の内容から確定する値を返せばよいものであるため、送信機２／受信機３が対側から通信し結果を得ることなく、送信機２／受信機３だけの判断で応答する。これにより、応答時間の問題を解決すると共に、送信機２と受信機３との間の通信量を削減することができる。また、この応答にだけ必要なパラメータの伝送や、ＴＶやＳＴＢとして動作する上で反応する必要のないコマンドは受信するだけで伝送を行わないことによりさらに通信量を削減することができる。
【００８３】
このような処理の例を図６〜図１１を参照して説明する。図６〜図１１は、図１の無線伝送システムにおける、電源ＯＮ時の処理後にＳＴＢからＣＥＣメッセージを送信したときの処理例を説明するためのフロー図である。
【００８４】
まず、図６に示すように、送信機２が、ＳＴＢ１からＣＥＣメッセージを受信し（ステップＳ３１）、そのＣＥＣメッセージが応答の必要がないとＣＥＣメッセージであると判断した場合には、ＡＣＫビットを返すだけでＣＥＣメッセージ自体は無視する。
【００８５】
図７に示すように、送信機２が、ＳＴＢ１からＣＥＣメッセージを受信し（ステップＳ４１）、そのＣＥＣメッセージが、応答は必要だが偽装する機器を特定できていれば事前の通信内容（又は固定値）でよいＣＥＣメッセージであると判断した場合には、ＡＣＫビットを返すと共に、通信メモリ２３ｅのモニター４との通信履歴から判断した応答（又はプリセット値の応答）を返す（ステップＳ４２）のみで、無線通信はしない。事前の通信内容でよい例としては＜Give Power Status＞が挙げられ、これに対する通信履歴から判断した応答は＜Report Power Status＞となる。また、固定値でよい例としては＜Give Vendor ID＞が挙げられ、これに対するプリセット値の応答は＜Device Vendor ID＞となる。
【００８６】
図８に示すように、送信機２が、ＳＴＢ１からＣＥＣメッセージを受信し（ステップＳ５１）、そのＣＥＣメッセージが、応答を先に返して後でモニター４に通信すればよいＣＥＣメッセージであると判断した場合には、ＡＣＫビットを返し、同メッセージを示す情報を無線伝送すると共に（ステップＳ５２）、プリセット値の応答をＣＥＣラインでＳＴＢ１に返す（ステップＳ５３）。このようなＣＥＣメッセージの例としては、＜Routing Change＞が挙げられ（但し、ここではＳＴＢ１側からの送信を前提としているため、ＳＴＢ１がリピータ機器である場合）、これに対するプリセット値の応答は＜Set Stream Path＞となる。なお、ステップＳ５２とステップＳ５３の順序は問わず、ステップＳ５３の応答が規格範囲内に収まるようにすればよい。ステップＳ５２での無線メッセージを受け取った受信機３は、それが示すＣＥＣメッセージをモニター４にＣＥＣラインで送信し（ステップＳ５４）、その応答をモニター４から得る（ステップＳ５５）。受信機３では、その応答は不要であるため、無視すればよい。
【００８７】
図９に示すように、送信機２が、ＳＴＢ１からＣＥＣメッセージを受信し（ステップＳ６１）、そのＣＥＣメッセージが一方通行でよいＣＥＣメッセージ（例えば、＜Image View ON＞、つまり電源ＯＮ命令など）であると判断した場合には、ＡＣＫビットを返して同メッセージを示す情報を無線伝送する（ステップＳ６２）。その情報（無線メッセージ）を受信した受信機３は、同メッセージを抽出してモニター４にＣＥＣラインで送信する（ステップＳ６３）。
【００８８】
図１０に示すように、送信機２が、ＳＴＢ１からＣＥＣメッセージを受信し（ステップＳ７１）、そのＣＥＣメッセージが応答が必要でありプリセット値や通信内容等では判断できないＣＥＣメッセージであると判断した場合には、省略せずに通常の処理を行う（ステップＳ７２〜Ｓ７６）。つまり、送信機２が、ＡＣＫビットを返すと共に同メッセージを示す情報を無線伝送し（ステップＳ７２）、それを受けた受信機３が同メッセージを抽出してモニター４にＣＥＣラインで送信する（ステップＳ７３）。モニター４が、それに対する応答を受信機３にＣＥＣラインで送信し（ステップＳ７４）、受信機３が、同応答を示す情報を無線伝送し（ステップＳ７５）、それを受けた送信機２が同応答を抽出してＳＴＢ１にＣＥＣラインで送信する（ステップＳ７６）。このようなＣＥＣメッセージの例としてＶｅｎｄｏｒ内の取り決め次第である＜Vendor Command＞が挙げられる。なお、それに対する応答は、予め定められモニター４の応答テーブルに記憶されたものとなる。
【００８９】
なお、図１１に示すように、送信機２が、ＳＴＢ１からＣＥＣメッセージを受信し（ステップＳ８１）、そのＣＥＣメッセージが偽装機器（つまりモニター４）以外への通信であると判断した場合、ＡＣＫビットも返さず、無線伝送も行わない。
【００９０】
以上、図６〜図１１を参照して、ＳＴＢ１からＣＥＣメッセージを送信したときの処理例を説明したが、モニター４側からＣＥＣメッセージを送信したときの処理例も、これを逆方向にしただけで同様である。
【００９１】
また、送信機２又は受信機３は、ＣＥＣプロトコルに定められている応答（response）の制限時間（response time）、つまり返答制限時間によって、無線伝送するか、送信機２や受信機３が代わりに応答（response）を返すかを制御してもよい。
【００９２】
そのため、受信機３は、モニター４から受信したＣＥＣメッセージが、モニター４への応答制限時間が所定時間より短く要求されているものであるか否かを判定する。そして、受信機３は、判定の結果、短く要求されているＣＥＣメッセージについては、モニター４に対しＳＴＢ１の代わりに（送信機２の代わりにとも言える）応答する。このとき、送信機２へ無線伝送を行わなくてもよい。それ以外のＣＥＣメッセージについては、無線伝送を行えばよい。ここで、ＣＥＣマネージャ３３ｂにより応答テーブル３３ｃを参照して判定可能にしておけばよく、この応答も各ＣＥＣメッセージに対して応答テーブル３３ｃで予め定めたプリセットメッセージであってよい。
【００９３】
同様に、送信機２は、ＳＴＢ１から受信したＣＥＣメッセージが、ＳＴＢ１への応答制限時間が上記所定時間より短く要求されているものであるか否かを判定し、短く要求されているＣＥＣメッセージについては、ＳＴＢ１に対しモニター４の代わりに応答する。このとき、受信機３へ無線伝送を行わなくてもよい。それ以外のＣＥＣメッセージについては、無線伝送を行えばよい。ここで、ＣＥＣマネージャ２３ｂにより応答テーブル２３ｃを参照して判定可能にしておけばよく、この応答も各ＣＥＣメッセージに対して応答テーブル２３ｃで予め定めたプリセットメッセージであってよい。
【００９４】
このような受信ＣＥＣメッセージの応答制限時間（すなわちＣＥＣメッセージの応答制限時間に関する種類）によって、無線伝送するか自身で応答を返すかを制御する形態は、図６〜図１０を参照した例とは無関係に実行してもよいし、図７、図８を参照した例に適用してもよい。後者の場合、応答制限時間が短く要求されているＣＥＣメッセージについてのみ図７、図８を参照した例を適用すればよい。また、図９、図１０の例についても、適当な応答をプリセット値でもたせておけば、とりあえずの応答は可能であり、応答制限時間の規格範囲がオーバーにならずに済む。また、このような無線伝送するか自身で返答を返すかを制御する形態においても、図６の例のように、無線伝送の必要のないＣＥＣメッセージであれば無条件に無視し応答も無線伝送も行わなければよく、図１１のように自身が偽装する機器へのＣＥＣメッセージでなければ同様に無視すればよい。
【００９５】
図１２は、図１の無線伝送システムにおける機器間でのＣＥＣメッセージの送受について無線伝送路が通信不能になっている場合の概略を説明するための図である。無線（ワイヤレス）通信の場合、電波状態等によって通信が切断することがある。この状態でメッセージを受け取ってもお互いに伝送することができない、しかも、受け取ってしまうということはＡＣＫビットを返すということであり、送信側では通信成功と判断されてしまう。すると、送信側で把握している状態と受信側で把握している状態が異なる結果になり、泣き別れの要因となってしまう。
【００９６】
そこで無線伝送ができない状況に陥った場合、ＣＥＣ通信を受け取ってもＡＣＫビットを返さないようにすることが好ましい。つまり、受信機３のＣＥＣ制御部は、受信機３が送信機２との無線通信ができない状況に陥った状態で、モニター４からＣＥＣメッセージを受信してもＡＣＫビットをモニター４に返信せず、また送信機２のＣＥＣ制御部も、送信機２が受信機３との無線通信ができない状況に陥った状態で、ＳＴＢ１からＣＥＣメッセージを受信してもＡＣＫビットを返信しないようにする。このような動作も応答テーブル２３ｃ，３３ｃに記述しておき、ＣＥＣマネージャ２３ｂ，３３ｂで実行させればよい。また、無線通信可能／不可能を判定は、送信機２や受信機３において通信メモリ２３ｅや通信メモリ３３ｅに、無線での通信履歴（通信切断か通信可能かを判断するための通信履歴）を記憶しておき、この通信メモリを参照して行えばよい。この場合、送信機２及び受信機３は、定期的に無線通信を試みておけばよい。
【００９７】
このような処理を採用することで、ＣＥＣ対応機器にとってはＨＤＭＩケーブル抜けと同等の状態であると認識され、通信復帰後、泣き別れることなく動作させることが可能となる。
【００９８】
＜本発明に係る無線伝送システムの他の構成例＞
本システムとして、図１のような送信機２がＳＴＢ１に外付け（外部接続）され、受信機３がモニター４に外付け（外部接続）された構成例を挙げたが、いずれか一方又は双方が内蔵される構成を採用してもよい。つまり、受信機３のＣＥＣ制御部は、モニター４に設けられたＣＥＣ制御部に接続されてモニター４に内蔵されてもよい。ここで、ＣＥＣ制御部だけでなく受信機３の無線接続部３４も内蔵されてよい。また、送信機２のＣＥＣ制御部は、ＳＴＢ１に設けられたＣＥＣ制御部に接続されてＳＴＢ１に内蔵されてもよい。ここで、ＣＥＣ制御部だけでなく送信機２の無線接続部２４も内蔵されてよい。
【００９９】
＜本発明に係る無線伝送方法について＞
本発明は、プログラムや情報によってそのＣＥＣメッセージを送受する方法を説明したように、次の無線伝送方法としての形態も採用できる。なお、このプログラムや情報は、可搬記録媒体、放送波、インターネット回線などにより流通させることができる。本発明に係る無線伝送方法は、図１の構成例で説明すると、モニター４との間でＣＥＣメッセージを送受可能なＣＥＣ制御部を有する受信機３と、ＳＴＢ１との間でＣＥＣメッセージを送受可能なＣＥＣ制御部を有する送信機２とを用い、受信機３と送信機２との間の無線通信により、モニター４とＳＴＢ１との間でＣＥＣメッセージの送受を行うものである。
【０１００】
そして、この無線伝送方法は、その主たる特徴として、受信機３のＣＥＣ制御部が、ＳＴＢ１のデバイス種に応じた論理アドレスを用いて、モニター４に設けられたＣＥＣ制御部とのＣＥＣメッセージの送受を行うステップと、送信機２のＣＥＣ制御部が、モニター４のデバイス種に応じた論理アドレスを用いて、ＳＴＢ１に設けられたＣＥＣ制御部とのＣＥＣメッセージの送受を行うステップと、を含むものとする。その他の応用については、無線伝送システムとして説明したものと同様であり、その説明を省略する。
【符号の説明】
【０１０１】
１…ＳＴＢ、２…送信機、３…受信機、４…モニター、５…リモコン、１１，２１，３１，４１…有線接続部、１２，２２，３２，４２…制御部、１３，２３，３３，４３…記憶部、１４，４４…主制御部、１５…チューナ部、２３ａ，３３ａ…ＣＥＣドライバ、２３ｂ，３３ｂ…ＣＥＣマネージャ、２３ｃ，３３ｃ…応答テーブル、２３ｄ，３３ｄ…無線通信ドライバ、２３ｅ，３３ｅ…通信メモリ、２４，３４…無線接続部、４５…映像処理部、４６…表示部、４７…受光部。
【図１】
2010041567.tif 000003
【図２】
2010041567.tif 000004
【図３】
2010041567.tif 000005
【図４】
2010041567.tif 000006
【図５】
2010041567.tif 000007
【図６】
2010041567.tif 000008
【図７】
2010041567.tif 000009
【図８】
2010041567.tif 000010
【図９】
2010041567.tif 000011
【図１０】
2010041567.tif 000012
【図１１】
2010041567.tif 000013
【図１２】
2010041567.tif 000014
【国際調査報告】
2010041567.tif 000015
2010041567.tif 000016
2010041567.tif 000017